(57)【要約】【課題】  骨板を骨折した骨に適用する処理中或いはその後に骨が捩じれる或いは斜めになること抑制するか、或いは防止しながら骨の骨折した部片を外科医が移動できるように、調整可能な骨板を提供すること。【解決手段】  この発明は一セット以上の第一部材と第二部材とから成る調整可能な骨板に関する。第一部材と第二部材は取付け手段と固定手段によって互いに解放可能に固定されていて、二セット以上の第一部材と第二部材は架橋手段によって連結されている。骨板の縦方向と横方向寸法が調整できる。【特許請求の範囲】
【請求項１】
一セット以上の第一部材と第二部材から成る骨板において、各セットでは第一部材と第二部材を互いに対して縦方向に調整できる取付け手段と第一部材と第二部材の移動を制限するか、或いは抑制する固定手段とによって第一部材が第二部材に開放可能に固定されることを特徴とする骨板。
【請求項２】
一セット以上の第一部材と第二部材から成り、各セットの第一部材と第二部材は一セットの第一部材と第二部材を隣接セットの第一部材と第二部材に対して横方向に調整できる架橋手段と第一部材と第二部材のセットの移動を制限するか、或いは抑制する架橋固定手段とによって隣接セットの第一部材と第二部材に連結されていることを特徴とする請求項１に記載の骨板。
【請求項３】
取付け手段が第一部材或いは第二部材のフランジとそのフランジから構成されていない第一部材或いは第二部材の窪みとから成り、フランジが窪み内に摺動することを特徴とする請求項１に記載の骨板。
【請求項４】
フランジが開口から成り、そのフランジから構成されていない第一部材或いは第二部材が窪みに近接した固定手段孔を有し、固定手段が開口と固定手段孔を通して移動されることを特徴とする請求項３に記載の骨板。
【請求項５】
第一部材が第一部材第一端、第一部材第二端、第一部材前方側面と第一部材末方側面から成り、第二部材が第二部材第一端、第二部材第二端、第二部材前方側面と第二部材末方側面から成り、i）第一部材が第二端面から突き出すフランジを備える第一部材第二端に
第二端面を有し、そのフランジがフランジ前方側面、フランジ末方側面、フランジ端、フランジ上面とフランジ下面から成り、フランジ前方側面がフランジ末方側面に平行に対向されて、フランジ端がそれら前方側面と末方側面の間でフランジ前方側面とフランジ末方側面に垂直であって且つ第二端面に対向し、ii）第二部材が窪み底面と窪み壁により形成
された窪みを備える第二部材第二端にて窪み開口から成ることを特徴とする請求項４に記載の骨板。
【請求項６】
ａ）第一部材第一端は、
i）第一部材前方円形要素、第一部材第一前方端子点と第一部材第二前方端子点から
成り、第一部材前方円形要素が第一部材第一前方端子点から第一部材第二前方端子点までの連続側面を有するものと；
ii）第一部材末方円形要素、第一部材第一末方端子点と第一部材第二末方端子点から
成り、第一部材末方円形要素が第一部材第一末方端子点から第一部材第二末方端子点までの連続側面を有するものと；そして
iii）第一部材第一前方端子点から第一部材第一末方端子点まで延びていて第一部材第一前方端子点と第一部材第一末方端子点に隣接する第一部材中心部分とから成り；
ｂ）第二部材第一端は、
i）第二部材前方円形要素、第二部材第一前方端子点と第二部材第二前方端子点から
成り、第二部材前方円形要素が第二部材第一前方端子点から第二部材第二前方端子点までの連続側面を有するものと；
ii）第二部材末方円形要素、第二部材第一末方端子点と第二部材第二末方端子点から
成り、第二部材末方円形要素が第二部材第一末方端子点から第二部材第二末方端子点までの連続側面を有するものと；そして
iii）第二部材第一前方端子点から第二部材第一末方端子点まで延びていて第二部材第一前方端子点と第二部材第一末方端子点に隣接する第一部材中心部分とから成ることを特徴とする請求項５に記載の骨板。
【請求項７】
ａ）第一部材がさらに第一部材第三前方端子点、第一部材第四前方端子点、第一部材第三末方端子点と第一部材第四末方端子点と第一部材前方側面と第一部材末面からおよそ等間隔にある中心線から成り、i）第一部材前方側面は、第一部材の中心線へ傾斜された第
一部材前方端子点まで延びている第一部材第二前方端子点に隣接する第一部材第一前縁部分と、第一部材第三前方端子点から第一部材第四前方端子点まで延びている第一部材第一前縁部分に隣接する第一部材第二前縁部分と、それに隣接して第一部材第四前方端子点から第一部材第二端まで延びていて、第一部材の中心線とほぼ平行である第一部材第三前縁部分とを有する第一部材前方側面縁から構成され、ii）第一部材末方側面は、第一部材の
中心線へ傾斜された第一部材第三末方端子点まで延びている第一部材第二末方端子点に隣接する第一部材第一末縁部分と、第一部材第三末方端子点から第一部材第四末方端子点まで延びている第一部材第一末縁部分に隣接する第一部材第二末縁部分と、それに隣接して第一部材第四末方端子点から第一部材第二端まで延びていて、第一部材の中心線とほぼ平行である第一部材第三末縁部分とを有する第一部材末方側面縁から構成され、
ｂ）第二部材がさらに第二部材第三前方端子点、第二部材第四前方端子点、第二部材第三末方端子点と第二部材第四末方端子点と第二部材前方側面と第二部材末方側面からおよそ等間隔にある中心線から成り、i）第二部材前方側面は、第二部材の中心線へ傾斜され
た第二部材第三前方端子点まで延びている第に部材第二前方端子点に隣接する第二部材第二前縁部分と、第二部材第三前方端子点から第二部材第四前方端子点まで延びている第二部材第一前縁部分に隣接する第二部材第二前縁部分と、それに隣接して第二部材第四前方端子点から第二部材第二端まで延びていて、第二部材の中心線とほぼ平行である第二部材第三前縁部分とを有する第二部材前方側面縁から構成され、ii）第二部材末方側面は、第
二部材の中心線へ傾斜された第二部材第三末方端子点まで延びている第二部材第二末方端子点に隣接する第二部材第一末縁部分と、第二部材第三末方端子点から第二部材第四末方端子点まで延びている第二部材第一末縁部分に隣接する第二部材第二末縁部分と、それに隣接して第二部材第四末方端子点から第二部材第二端まで延びていて、第に部材の中心線とほぼ平行である第二部材第三末縁部分とを有する第二部材末方側面縁から構成されることを特徴とする請求項６に記載の骨板。
【請求項８】
第一セットの第一部材と第二部材と第二セットの第一部材と第二部材から成り、第一架橋手段が第一セットの第一部材を第二セットの第二部材と連結させ、第二架橋手段が第一セットの第二部材を第二セットの第一部材と連結させることを特徴とする請求項５に記載の骨板。
【請求項９】
ａ）各セットの第一部材が第一部材第一端と第一部材第二端の間の点において第一部材前面から延びている第一部材突起から成り、第一部材突起が天面、底面と第一部材突起端壁と第一部材突起端壁に開放する第一部材架橋ロッド孔を有する第一部材架橋ロッド孔壁により形成された第一部材架橋ロッド孔を有し、第一部材架橋ロッド孔が第一部材架橋ロッド孔開口から第一部材前方側面と第一部材末方側面の間の点まで延びていて、そして
ｂ）各セットの第二部材が第二部材第一端と第二部材第二端の間の点において第二部材前面から延びている第二部材突起から成り、第二部材突起が天面、底面と第二部材突起端壁と第二部材突起端壁に開放する第二部材架橋ロッド孔を有する第二部材架橋ロッド孔壁により形成された第二部材架橋ロッド孔を有し、第二部材架橋ロッド孔が第二部材架橋ロッド孔開口から第二部材前方側面と第二部材末方側面の間の点まで延びていることを特徴とする請求項８に記載の骨板。
【請求項１０】
各第二部材がさらに第二部材上面及び第二部材突起の天面又はそのいずれか一方における上開口と第二部材架橋ロッド孔における下開口とを有する架橋手段固定孔壁に形成された架橋手段固定孔から成り、架橋手段固定孔が上開口から延びていて、第二部材架橋ロッド孔を二分することを特徴とする請求項９に記載の骨板。
【請求項１１】
架橋手段固定孔壁がねじを切られていることを特徴とする請求項１０に記載の骨板。
【請求項１２】
各第一部材が保持ピン穴壁により形成されて第一部材架橋手段孔を二分する第一部材突起に近似する保持ピン穴から成ることを特徴とする請求項１１に記載の骨板。
【請求項１３】
保持ピン穴が一つ以上の螺子切り部分から成ることを特徴とする請求項１２に記載の骨板。
【請求項１４】
各架橋手段は、ａ）円形端とそれと対向する先細端を有する架橋ロッドであって、円形端から円筒状端と先細端の間の円筒状部分端子点まで延びる連続彎曲外部分と、円筒状部分端子点から先細端まで延びる先細部分とを有する円筒状部分を備えて、先細部分が傾斜部片と先細端における第一端と第二端を有する基準部片とを有する天面から成り、傾斜部片が円筒状部分端子点から傾斜部片の第一端まで延びる架橋ロッドと、ｂ）架橋固定手段とから成ることを特徴とする請求項８に記載の骨板。
【請求項１５】
各第一部材と各第二部材が骨ねじ孔壁により形成された一つ以上の骨ねじ孔から成ることを特徴とする請求項１に記載の骨板。
【請求項１６】
患者に骨板を適用する方法において、
ａ）取付け手段によって開放可能に一体に固定され得る一つセット以上の第一部材と第二部材を有する骨板を備えて、各第一部材と第二部材が骨ねじ孔壁により形成された一つ以上の骨ねじ孔から成り；
ｂ）第一部材を骨上に置いて一つ以上の骨取付け手段を一つ以上の骨ねじ孔を通して骨へ移動させることにより患者の骨折した骨に第一部材を固定させ；
ｃ）第二部材を骨上に置いて一つ以上の骨取付け手段を一つ以上の骨ねじ孔を通して骨へ移動させることにより患者の骨折した骨に第二部材を固定させ；
ｄ）第一部材及び第二部材又はそのいずれか一方を移動させて骨折した骨の部片を一体にさせ；そして
ｅ）固定手段を備えて、固定手段を適用して第一部材及び第二部材又はそのいずれか一方が移動することを制限するか、或いは抑制する工程から成ることを特徴とする方法。
【請求項１７】
取付け手段が各第一部材或いは第二部材の第二端におけるフランジから成り、そのフランジが開口を有し、フランジを有しない各第一部材或いは第二部材が第二端に近接する窪みを有し、その窪みが固定手段孔を有し、フランジが窪み内に整合され、固定手段が開口と固定手段孔を通して移動されることを特徴とする請求項１６に記載の方法。
【請求項１８】
骨板が第一セットの第一部材と第二部材と第二セットの第一部材と第二部材から成り、各セットの第一部材がさらに第一部材突起と第一部材突起における第一部材架橋手段とから成り、各セットの第二部材がさらに第二部材突起と第二部材突起における第二部材架橋手段とから成り、第一部材と第二部材と第一セットと第二セットが患者の骨に適用され、さらに方法が第一部材架橋手段孔内で第一架橋手段を移動させ、第二部材架橋手段孔内で第二架橋手段を移動させることから成ることを特徴とする請求項１６に記載の方法。
【請求項１９】
各第一部材が架橋固定手段孔から成り、各第二部材が保持ピン孔と少なくとも一つの止めねじから成り、少なくとも一つの保持ピンが設けられ、第一架橋手段と第二架橋手段が架橋固定手段孔内に移動された少なくとも止めねじにより各第一部材に開放可能に固定され、少なくとも保持ピンを使用して各第二部材に開放可能に固定されることを特徴とする請求項１８に記載の方法。
【請求項２０】
各セットの第一部材と第二部材が骨折した骨の部片を一緒に移動させるように横方向に移動され、骨の部片が所望の位置に設定されると、止めねじが締め付けられることを特徴とする請求項１９に記載の方法。
【発明の詳細な説明】
【技術分野】
【０００１】
この発明は、互いに開放可能に固定された一セット以上の第一部材と第二部材から成る調整可能な骨板に関する。部材は摺動できて、それにより外科医が骨板の縦方向長さを調整し、骨板の縦方向長さに設定するのに先立って互いに接近して骨折した骨の部片を移動できる。この発明は、縦方向と横方向の両寸法を調整され得る骨板に関する。
【背景技術】
【０００２】
従来の骨板は固定寸法と骨ねじを収容させる多数の穴とを有する。外科医は一般に骨板を使用して、骨折の上に骨板を置いて、骨の健全部分を載置する板の穴を通して骨ねじを挿入させ、骨折について骨を固定させることにより骨折した骨の部片を結合させる。多くの寸法の骨板が外科医のために設けられ、各骨板が多数の穴を有するので、外科医が骨板上に板を配列でき、健全骨上に利用できる骨ねじ穴を有する。
【０００３】
直接圧縮板（『ＤＣＰ』）は骨折した骨を安定化するのに利用できる。ＤＣＰは一般に傾斜した開口を有し、その開口を通してねじが骨に「斜めに留められ」、斜め留めねじの締付けがＤＣＰの下で骨を僅かに移動させるように作用する。ＤＣＰは骨部片を骨折のいずれかの側面に一緒に接近して移動させるように使用されていた。しかしながら、ＤＣＰにより、ほんの僅かで容易に制御できない運動が生じる。一般に下に置いた骨はねじのねじ筋により適切な場所に引張られ、骨のねじれ或いは旋回や板の曲げに関して制御できない。さらに、骨が取付け板に傾斜して引張られ、それは斜めになった骨を生じるか、或いは骨の長手方向に傾斜している。骨の微小運動と一緒のこの傾斜は骨板が骨に固定された後にねじの後退して出ること導いた。
【特許文献１】特表２００６−５０６１９７号公報
【特許文献２】特表２００６−５０６１９４号公報
【特許文献３】特表２００８ー５００１４３号公報
【特許文献４】特表２００７ー５３２２８３号公報
【発明の開示】
【発明が解決しようとする課題】
【０００４】
それで、骨板を骨折した骨に適用する処理中或いはその後に骨が捩じれる或いは斜めになること抑制するか、或いは防止しながら骨の骨折した部片を外科医が移動できるように、調整できる骨板が必要である。
【課題を解決するための手段】
【０００５】
この発明の骨板或いは骨板組立体は一セット以上の第一部材と第二部材から成る。各セットでは第一部材と第二部材が取付け手段を通して互いに対して開放可能に固定される。取付け手段は、互いに関して第一部材と第二部材の位置を縦方向調整できて、それによ上に板を配列でき、健全骨上に利用できる骨ねじ穴を有する。取付け手段は一般に部材の移動を制限するか、或いは抑制する固定手段と作用し、それにより骨板組立体の縦方向長さを設定させる。例えば、使用では、外科医が骨折した骨の破損の片面に第一部材を固定させ、骨折した骨の破損の他の面に第二部材を固定させ、次に一方又は両方の部材を移動させて骨折した骨の部片を一体にさせる。一度、外科医が治療に望まれるように部片を移動させたら、次に外科医が骨板組立体の縦方向長さに設置するように固定手段を適用させる。この発明の実施例では、一セット以上の第一部材と第二部材が骨折した骨に適用されて第一部材或いは第二部材のセットが架橋手段を通してのように互いに連結されて骨板組立体の横方向寸法に調整を与える。
【０００６】
取付け手段は例えば一方の部材のフランジと他の部材の対応窪みとから成る。フランジは窪み内で摺動できて、それで骨板に調整性を備える。他の例の取付け手段は第一部材及び第二部材又はそのいずれか一方の部材のロッド孔内に移動できる一個以上の連結ロッドである。
【０００７】
固定手段は第一部材と第二部材が互いに関して物理的に移動することを防止できる任意の機械的装置である。一般に、固定手段は一つ以上の次のことであり；熱収縮、膠、第一部材と第二部材の一体の成形、ねじ、ピン或いはアンカーとこれらの組合せ。
【０００８】
例えば固定手段が一方の部材のフランジのスロットと締め付けることにより窪み内にフランジを固定する第二部材の窪みのねじ孔とに係合する大きな頭ねじであって、それにより第一部材と第二部材が互いに関して移動することを防止する。他の例の固定手段が第一部材及び第二部材又はそのいずれか一方の部材の固定手段に係合する止めねじであって、互いに関して第一部材と第二部材の移動を防ぐ摩擦力を創る取付け手段に関して第一部材と第二部材の要素を有効に押圧する。この発明の実施例では、第一部材及び第二部材又はそのいずれか一方の部材のロッド孔内に移動する一つ以上の連結ロッドであり、第一部材及び第二部材又はそのいずれか一方の部材の固定手段孔内に適用された止めねじが連結ロッドの外面と運動を防ぐロッド孔壁の間の摩擦力を創る連結ロッドに対してロッド孔の壁を押し込む。他の固定手段はフランジの面と窪みの間のような第一部材と第二部材の間に物理的接着を形成する生適合性接着剤或いは熱のような物理的接着を包含する。例えば、一度、第一部材と第二部材が適当な場所に設置されると、外科医が第一部材と第二部材を互いに一定関係に固定させる接着剤或いは他の接着剤を塗布できるか、或いは整合されて互いに接触する第一部材或いは第二部材の面に有効に溶融する熱を加えて、各板の溶融した材料を一体に混合させ、それにより熱源が取外され、第一部材と第二部材が冷却するときに二つの部材を物理的に連結させる。
【０００９】
調整可能な骨板はさらに縦方向と横方向の両寸法に関して調整性を有する骨板組立体を形成するように、二セット以上の調整可能な第一部材と第二部材が互いに連結され得る架橋手段から成る。この発明のこの実施例では、調整可能な骨板は外科医が縦方向及び横方向又はそのいずれか一方向の寸法が調整されながら骨の骨折した部片が一体になることを観察できる。例えば、各調整可能な骨板組立体が第一部材及び第二部材又はそのいずれか一方の部材の一つ以上の架橋ロッド孔内に移動できる一つ以上の架橋ロッドから成る。架橋手段は上述取付け手段と同じ或いは同様な構造を有し得る。
【００１０】
調整可能な骨板はさらに結合セットの第一部材と第二部材に関して一セットの第一部材と第二部材の移動を抑制するか、或いは制限するように、架橋手段と関連して使用する架橋固定手段から成り、それにより調整可能な骨板組立体の横方向寸法を設定する。例えば、架橋固定手段が第一部材及び第二部材又はそのいずれか一方の部材の孔にねじ込まれる止めねじようなねじ部材であり、架橋手段の面と直接に接触させ、それにより架橋手段孔内に架橋手段の移動を防止するか、或いは抑制することにより結合セットの第一部材と第二部材に関して一セットの第一部材と第二部材の移動を抑制するか、或いは制限する。止めねじ或いは他のねじ部材に加えて、架橋固定手段が上述の任意の固定手段である。
【００１１】
骨板は生物学的に許容し得る材料により形成され得る。材料の組合せが使用され得る。
【００１２】
この発明はさらに患者の骨折した骨を治療する骨板組立体に適用する方法に関する。例えば、一つの方法では、一セットの第一部材と第二部材のみが使用される。この方法では、第一部材或いは第二部材が破損の片面の骨上に置かれて、第一部材或いは第二部材が破損の他面の骨上に置かれ、次に第一部材と第二部材が取付け手段及び固定手段又はそのいずれか一方によって互いに開放可能に固定される。骨ねじ或いは他の骨取付け手段は、取付け手段が係合され、移動できるように部分的或いは緩く係合された後に骨ねじ或いは他の骨取付け手段を第一部材と第二部材の骨ねじ孔を通して骨へ移動させることにより、第一部材と第二部材を患者の骨に固定させるように適用される。発明の実施例では、骨取付け手段は、取付け手段の係合に先立って適用され得る。そのように、第一部材と第二部材は、骨板が患者の骨に固定されるのに先立って、或いは骨板が患者の骨に固定された後に互いに開放可能に固定され得る。取付け手段が骨ねじ、外科用ファスナー或いは骨板或いは骨板の任意の成分を患者の骨に固定できる任意の他の装置である。更に、第一部材と第二部材は最初に開放可能に固定され得て、一方の部材を片面に、他の部材を他の面に骨折した骨の上に置かれ、次に骨ねじが骨板組立体を骨折した骨に固定するように適用される。任意の場合には、一度、第一部材と第二部材が骨に固定されると、外科医が第一部材或いは第二部材を移動させて骨折した骨の部片を一緒にして、さらに取付け手段及び固定手段又はそのいずれか一方を適用させるか、或いは締め付けて、第一部材と第二部材のそれ以上の運動を防止して、骨板組立体の縦方向寸法を固定し且つ治療のために骨を適当な場所に設置する。
【００１３】
別の実施例では、この方法が一つ以上の追加セットの第一部材と第二部材を適用することから成る。この実施例では、第一部材と第二部材のセットが一般に上述のように、患者の骨折した骨に適用され、次に架橋手段が適用され且つ次に第一部材と第二部材のセットが適用される。さらに、第一部材と第二部材のセットは架橋手段と共に第一部材と第二部材の各追加セットと先行セットとの間に適用され得る。各セットの第一部材と第二部材は上述のように、各縦方向寸法に関して調整され得て、横方向寸法が架橋手段と関連して第一部材と第二部材のセットを移動させることにより調整され得る。一度、骨折した骨の部片が所望の位置に移動されたならば、骨板組立体の縦方向と横方向寸法が取付け手段及び固定手段又はそのいずれか一方（縦方向用）並びに架橋固定手段（横方向用）を適用し且つ締付ける又は適用するか、或いは締付けることにより固定され得る。更に、この発明の実施例では、この方法は骨板を患者の骨に固定させることにより患者の骨に骨板を適用するのに先立って固定された骨板の縦方向及び横方向寸法又はそのいずれか一方を有することから成る。破損の種々の面に関しての各第一部材と第二部材の位置は骨折した骨の性質に依存する。例えば、骨が破損を分割し、この場合に、各々が骨板組立体の第一部材と第二部材に分離させ、架橋手段により連結された第一部材と第二部材の二セットを有する骨板組立体が骨折した骨の異なった部分に固定され得る。
【発明を実施するための最良の形態】
【００１４】
図１−７はこの発明の実施例における骨板組立体１を示し、骨板組立体は第一部材２、第二部材３と固定手段４から成る。発明のこの実施例では、各第一部材と第二部材が二つの端部から成り、各部材の少なくとも一つの端部が一つ以上の、特に二つの円形要素を有する。各円形要素が少なくとも一つの骨ねじ孔を有する。発明のこの実施例では、各第一部材と第二部材の一方の端部が取付け手段から成るか、或いは取付け手段を収容して、第一部材と第二部材が調整可能な骨板組立体へ一体化され得る。図１−７に示されたこの発明の実施例では、取付け手段は第一部材の第二端におけるフランジ８と、第二部材の第二端に隣接して第二端から第二部材の第一端と第二端の間の点まで延びる対応窪み５９とから成る。
【００１５】
図２と３に示されるように、第一部材は第一部材第一端２０４、第一部材第二端５、第一部材前方側面６と第一部材末方側面７から成る。フランジ８が第一部材第二端５から突き出す。第一部材第一端２０４は、図１−７に示された実施例において、曲率を有する第一部材中心部分により結合された第一部材前方円形要素９と第一部材末方円形要素１０とから成る。第一部材２はさらに第一部材上面１２と下面１３から成り、その下面が骨構造の曲率に対して第一部材と調整可能な骨板のスナップ取付けをさらに促進させるほぼ凹状アーチ部分である第一部材下面彎曲部分１３ａから成る。
【００１６】
第一部材前方円形要素９は第一部材第一前方端子点１５から第一部材第二前方端子点１６まで延びる連続側面１４を有し、その側面が配向において円形或いは半円形である。同様に、第一部材末方円形要素１０が第一部材第一末方端子点１８から第一部材第二末方端子点１９まで延びる連続側面１７を有する。第一部材中心部分１１が第一部材第一前方端子点１５と第一部材第一末方端子点１８とに隣接して、第一部材第一前方端子点１５から第一部材第一末方端子点１８まで延びる。好ましい実施例では、第一部材第一前方端子点１５と第一部材第一末方端子点１８とが互いに対向し、第一部材中心部分１１の第一部材中心部分側面２０が第一部材前方円形要素９と半円形面を有する第一部材末方円形要素１０の間に空所を創る曲率を有し、第一部材前方円形要素９、第一部材中心部分１１と第一部材末方円形要素１０が連続彎曲面を表す。第一部材中心部分は骨板組立体を備えた閉鎖手段により係合され得る一つ以上固定スロットから成り、調整可能な骨板を形成する第二部材と係合されたときに第一部材の移動を助ける。第一部材中心部分は、この発明のこの実施例では、（第一部材２と第二部材３の両方に沿って図２と３の例えば中心線２４として示される）第一部材のおよそ中心線において第一部材固定スロット２０ａから成る。
【００１７】
第一部材は、図１−７と特に図２に示されたこの発明の実施例では、さらに第一部材第二前方端子点１６から第一部材第二端５まで延びる第一部材前面縁２１から成る。好ましくは、第一部材前面縁は第一部材第二前方端子点１６に隣接して且つ第一部材第二端５にさらに近接する点まで延びる第一部材第一前方縁部分２２から成り、第一部材第二前方端子点１６における前方位置から第一部材第三端子点２３におけるさらに末方位置まで傾斜され得て、即ち第一部材の中心線２３へ傾斜されている。第一部材第一前方縁部分２２に隣接して第一部材第二前方縁部分２５があり、その第一部材第二前方縁部分が第一部材第四前方端子点２６にまで延びている。第一部材第一前方縁部分２２に隣接して第一部材第三前方縁部分２７があり、その第一部材第三前方縁部分が第一部材第二端５まで延びていて、中心線２４とほぼ平行である。好ましい実施例では、第一部材第一前方縁部分２２が第一部材の中心線に関して傾斜され、第一部材第三前方縁部分２７が中心線２４とほぼ平行であるから、第一部材第二前方縁部分２５が第一部材第一前方縁部分２２と第一部材第三前方縁部分２７を結合するように彎曲面を備える曲率を有し、第一部材前面縁２１が側面を結合する任意の鋭い縁なしに連続彎曲面を有する。
【００１８】
図１−７と特に図２に示されるように、第一部材２はさらに第一部材第二末方端子点１９から第一部材第二端５まで延びる第一部材末方側面縁２８から成る。好ましくは、第一部材末方側面縁２８は第一部材第二末方端子点１９に隣接して且つ第一部材第二端５にさらに近接する点まで延びる第一部材第一末方縁部分２９から成り、第一部材第二末方端子点１９から第一部材第三端子点３０におけるさらに前方位置まで傾斜され得る、即ち第一部材の中心線２４へ傾斜され得る。第一部材第一末方縁部分２９に隣接して第一部材第二末方縁部分３１があり、その第一部材第二末方縁部分が第一部材第四末方端子点３２まで延びている。第一部材第一末方縁部分２９に隣接して第一部材第三末方縁部分３３があり、その第一部材第三末方縁部分が第一部材第二端５まで延びていて、中心線２４とほぼ平行である。好ましい実施例では、第一部材第一末方縁部分２９が第二部材の中心線２４に関して傾斜され、第一部材第三末方縁部分３３が中心線とほぼ平行であるから、第一部材第二末方縁部分３１が第一部材第一末方縁部分２９と第一部材第三末方縁部分３３を結合するように彎曲面を備える曲率を有し、第一部材末方側面が側面を結合する任意の鋭い縁なしに連続彎曲面を有する。
【００１９】
例えば図２と３を参照すると、第一部材前方円形要素と第一部材末方円形要素の各連続側面並びに第一部材中心部分側面が上縦方向彎曲部分（３４ａ，３４ｂと３４ｃ）と下縦方向彎曲部分（３５ａ，３５ｂと３５ｃ）を有し、これら上下縦方向彎曲部分が側面に凹状曲率を備える。さらに第一部材前面と第一部材末面の縁が上縦方向彎曲部分（３６ａと３６ｂ）と下縦方向彎曲部分（３７ａと３７ｂ）を有する。これら縦方向彎曲部分が第一部材の側面と縁に凹状曲率と中断されない曲線を備えて、この中断されない曲線が骨板を骨構造の曲率にきちんと取付けできる。しかしながら、第二端が縦方向彎曲部分を有しない。
【００２０】
第一部材（２と５０１）の第二端５が、図４とこの発明の他の実施例に関しての図１６と１９に示される如く、一般に同じ高さにあって、第三前方縁部分２７から第三末方縁部分３３までのような第一部材の前方側面から末方側面まで延びる第二端面３８を有する。フランジ８が第一部材の第二端面３８から、好ましくは、図面に示される如く、第一部材下面（１３と５１１）より第一部材上面（１２と５１０）にさらに近似して突き出す。図面に示される如く、フランジがフランジ前方側面３９、フランジ末方側面４０とフランジ端４１を有する。フランジ前方側面３９が一般に第一部材の前方側面に近接する第二端面３８からフランジ端４１まで延びていて、フランジ末面が一般に第一部材の末方側面に近接する第二端面３８からフランジ端４１まで延びている。フランジ前方側面３９とフランジ末方側面４０が互いに所定角度に突き出すか、或いは図面に示される如く、互いに平行である。フランジ端がフランジ前方側面３９とフランジ末方側面４０の端部間に延びていて、フランジ前方側面３９とフランジ末方側面４０に垂直に、或いは任意の角度或いは配向に延び得る。図面に示されたこの発明の実施例では、フランジ端がフランジに端で連続彎曲輪郭を備える凹状彎曲片である。フランジはさらに特に図２−４に示される如く、以下に記載されるように、窪みへのフランジの摺動を容易とする上縦方向彎曲部分（４２ａ，４２ｂと４２ｃ）と下縦方向彎曲部分（４３ａ，４３ｂと４３ｃ）から成る。
【００２１】
フランジはフランジ上面４４とフランジ下面４５から成る。フランジは更にフランジ上面４４からフランジ下面４５まで延びる開口４６から成る。この開口４６はフランジ開口内壁４７によって形成されている。開口は図面に示される如く、卵形のような任意の幾何学形状である。フランジの開口４６が一般に第一部材の中心線２４に心合せされる。以下に述べられるように、フランジが第二部材の窪みと固定手段に関連して作用し、窪みの形状と一致する形状と、第一部材が第二部材と結合されて骨板を形成するときにフランジと第一部材が縦方向に移動できるか或いは摺動できて骨板の縦方向長さを変える寸法とを有する。
【００２２】
第一部材が一つ以上の骨ねじ孔から成る。図１−７に示されたこの発明の実施例では、第一部材が前方円形要素９に近接する第一部材前方骨ねじ孔４８と、末方円形要素１０に近接する第一部材末方骨ねじ孔４９とから成る。第一部材前方骨ねじ孔４８が第一部材の上面から下面まで延びていて、それらの間に第一部材前方骨ねじ孔内壁４８ａによって形成される。第一部材末方骨ねじ孔４９は第一部材の上面から下面まで延びていて、それらの間に第一部材末方骨ねじ孔内壁４９ａによって形成される。骨ねじ孔がほぼ円筒状であって、骨ねじ或いは他の骨取付け手段が骨ねじ孔へ挿入されるときに、骨ねじ或いは他の骨取付け手段の天面が縦方向板の上面と同じ高さであるか、或いはほぼ同じ高さであり、それらが第一部材縦方向板へ凹まされる。又は、骨ねじが骨ねじ孔と患者の骨に固定する。
【００２３】
上述のように、第一部材が任意に曲率を有し、例えば第一部材底面がほぼ凹状アーチ部分である第一部材底面彎曲部分１３ａから成る。これは、上面が凸状外観を有し、端から観察されるときに、第一部材が、特に図４に示されるように、彎曲外観を有する。第一部材が曲率を有するから、骨ねじ或いは他の骨取付け手段が第一部材前方骨ねじ孔４８と第一部材末方骨ねじ孔４９とへ挿入されるときに、骨内の骨ねじ或いは他の骨取付け手段の端が互いに対してとんがらせ、例えば、先を並べて、骨ねじ或いは他の骨取付け手段が骨の外に引き出さない大きな保証を備える。この配列は骨板のねじれを禁止し得る。
【００２４】
図１−７に示されたこの発明の実施例では、特に図２と３を参照すると、第二部材は  第二部材第一端５０、第二部材第二端５１、第二部材前方側面５２と第二部材末方側面５３から成る。第二部材第一端５０は曲率を有する第二部材中心部分５６によって結合された第二部材前方円形要素５４と第二部材末方円形要素５５から成る。第二部材はさらに第二部材上面５７と第二部材下面５８から成り、その第二部材下面が骨構造の曲率に対して骨板の具合よい取付けを容易とするほぼ凹状アーチ部分である彎曲部分５８ａから成る。第二部材はさらに第二部材第二端５１から、図２−４に示されるように、第二部材中心部分５６に近接するように、第二部材第一端５０に近接する点まで延びる第二部材上面５７の窪み５９から成る。
【００２５】
第二部材前方円形要素５４は、第二部材第一前方端子点６１から第二部材第二前方端子点６２まで延びる第二部材前方連続側面６０を有し、第二部材前方連続側面が配向における円形或いは半円形である。同様に、第二部材末方円形要素５５は第二部材第一末方端子点６４から第二部材第二末方端子点６５まで延びる第二部材末方連続側面６３を有する。第二部材中心部分は第二部材第一前方端子点６１と第二部材第一末方端子点６４に隣接して、第二部材第一前方端子点６１から第二部材第一末方端子点６４まで延びている。好ましい実施例では、第一前方端子点６１と第一末方端子点６４が互いに対向し、第二部材中心部分５６の第二部材中心部分側面６６は半円形面を有する第二部材前方連続側面６０と第二部材末方連続側面６３の間の空所を創る曲率を有し、第二部材の前方円形要素、中心部分と末方円形要素の側面が連続彎曲面を表す。第二部材中心部分は骨板組立体を備えた閉鎖手段により係合され得る一つ以上の固定スロットから成り、骨板を形成する第二部材と係合されたときに第一部材の移動を助ける。図面に示されたこの発明の実施例では、中心部分は第二部材のおよそ中心線２４における固定スロット６７から成る。
【００２６】
第二部材３は、この発明の実施例では、さらに第二部材第二前方端子点６２から第二部材第二端５１まで延びる第二部材固定スロット６７から成る。好ましくは、前方側面縁が第二部材第二前方端子点６２に隣接して且つ第二部材第二端５１にさらに近接する点まで延びる第二部材第一前方縁部分６８から成り、第二部材第二前方端子点６２における前方位置から第二部材第三前方縁部分６９における更に末方位置まで傾斜され得る、即ち第二部材の中心線２４へ傾斜され得る。第二部材第一前方縁部分６８に隣接して第二部材第二前方縁部分７０があり、その第二部材第二前方縁部分が第二部材第四前方端子点７１まで延びている。第二部材第四前方端子点７１に隣接して第二部材第三前方縁部分７２があり、その第二部材第三前方縁部分が第二部材第二端５１にまで延びていて、中心線２４とほぼ平行である。好ましい実施例では、第二部材第三前方縁部分６９が第二部材の中心線２４に関して傾斜され、第二部材第三前方縁部分７２が中心線２４とほぼ平行であるから、第二部材第二前方縁部分７０が第二部材第三前方縁部分６９と第二部材第三前方縁部分７２を結合するように彎曲面を備える曲率を有し、第二部材前方側面縁が側面を結合する任意の鋭い縁なしに連続彎曲面を有する。
【００２７】
第二部材３は、この発明の実施例では、さらに第二部材第二末方端子点６５から第二部材第一端５０まで延びる第二部材末方側面縁７３から成る。好ましくは、第二部材末面方側縁７３は第二部材第二末方端子点６５に隣接して且つ第二部材第二端にさらに近接する点まで延びる第二部材第一末方縁部分７４から成り、第二部材第二末方端子点６５における末方位置から第二部材第三末方端子点７５におけるさらに前方位置まで傾斜され得る、即ち第二部材の中心線２４へ傾斜され得る。第二部材第一末方縁部分７４に隣接して第二部材第二末方縁部分７６があり、その第二部材第二末方縁部分が第二部材第四末方端子点７７まで延びている。第二部材第二末方縁部分７６に隣接して第二部材第三末方縁部分７８があり、その第二部材第三末方縁部分が第二部材第二端５１にまで延びていて、中心線２４とほぼ平行である。好ましい実施例では、第二部材第一末方縁部分７４が第二部材の中心線に関して傾斜され、第二部材第三末方縁部分７８が中心線２４とほぼ平行であるから、第二部材第二末方縁部分７６が第二部材第一末方縁部分７４と第二部材第三末方縁部分７８を結合するように彎曲面を備える曲率を有し、第二部材末方側面が側面と結合する任意の鋭い縁なしに連続彎曲面を有する。
【００２８】
図面、特に２−４を参照すると、第二部材前方円形要素と第二部材末方円形要素の各連続側面並びに第二部材中心部分側面が側面に凹状曲率を備える上縦方向彎曲部分（７９ａ，７９ｂと７９ｃ）と下縦方向彎曲部分（８０ａ，８０ｂと８０ｃ）を有する。さらに、第二部材前方側面と第二部材末方側面の縁が上縦方向彎曲部分（８１ａと８１ｂ）と下縦方向彎曲部分（８２ａと８２ｂ）を有する。これら縦方向彎曲部分が第一部材の側面と縁に曲率と中断されない縦方向曲線を備えて、骨板が骨構造の曲率に対して具合よく取付けできる。しかしながら、第二端が縦方向彎曲部分を有しない。
【００２９】
第二部材第二端（５１と５３２）は、例えば図５と図１６−１８に示されるように、第二端前方側面から第二端底８３に近接する第二端末方側面まで窪み５９、特に開口８４へ延びる底部分８３ａと対向する前方直立部分８３ｂと末方直立部分８３ｃから成る第二端面８３から成るので、第二端は、第二部材の第二端から観察されるときに、窪み開口８４を囲む「Ｕ字形」外観を有する。前方直立部分８３ｂは、第二部材の前方側面にて、底部分８３ａから第二部材の天面まで延びていて、末方直立部分８３ｃは第二部材の末方側面にて底部分８３ａから第二部材の天面まで延びている。第二部材の底面に対向する底部分８３ａの縁８５、第二部材第三前方縁部分７２に対向する前方部分８３ｂの縁８６と第二部材第三末方縁部分７８に対向する末方部分８３ｃの縁８７は第二部材の第二端（５１と５３２）における窪み開口８４を形成する。
【００３０】
第二部材の窪み５９は第二端（５１と５３２）における窪み開口８４から第二部材の第二端（５１と５３２）と第二部材の第一端（５０と５３１）の間の点まで延びている。図２と５に更に図１６−１８に示される窪みは例えば窪み底面８８と窪み壁８９によって形成されている。窪み壁８９が連続的であり、前方部分８３ｂの縁８６と末方部分８３ｃの縁８７から延びている。しかしながら、窪みは図に示されるように、任意の幾何学形状を有し、窪み壁が前方窪み壁８９ａと対向末方窪み壁８９ｂを有し、各窪み壁が第二部材の第二端（５１と５３２）から第二部材の第二端（５１と５３２）と第一端（５０と５３１）の間の点までそれら窪み壁間の結合窪み壁８９ｃと一緒に延びている。この発明の実施例では、結合窪み壁が間隔点９０、即ち第二端５１から最も離れて窪み結合壁８９ｃの点を有する凸状曲率を有するアーチである。図１−７に示されたこの発明の実施例では、これは、第二部材のほぼ中心線２にて第一端の第二部材の彎曲端６６に近接する。好ましくは、前方窪み壁と末方窪み壁が第二部材の中心線２４からおよそ等間隔である。窪みの形状は図面に示されるように、凸状曲率を有するフランジのようなフランジの形状を補足し、この凸状曲率が結合窪み壁の凸状曲率により収容されている。
【００３１】
図面に示されたこの発明の実施例では、第二部材は更に窪み内の固定手段孔９１から成り、固定手段孔が窪み底面８８から窪み底面８８と第二部材の底面５８の間の点まで延びていて、底面５８を通して延びている。固定手段孔は固定手段孔壁９１ａにより形成されている。この発明の実施例では、固定手段孔がねじ筋を切られている。固定手段孔が以下に述べられるように、固定手段と交差する。
【００３２】
第二部材は一つ以上の骨ねじ孔から成る。図１−７に示されたこの発明の実施例では、第二部材は第二部材前方円形要素５４に近似する第二部材前方骨ねじ孔９２と、第二部材末方円形要素６３に近接する第二部材末方骨ねじ孔９３とから成る。第二部材前方骨ねじ孔９２は第一部材の上面から下面まで延びていて、それらの間に第二部材前方骨ねじ孔壁９２ａにより形成されている。第二部材末方骨ねじ孔９３は第一部材の上面から下面まで延びていて、それらの間に第二部材末方骨ねじ孔壁９３ａにより形成されている。骨ねじ孔がほぼ円筒状であり、骨ねじ或いは他の骨取付け手段が骨ねじ孔に挿入されるときに、骨ねじ或いは他の骨取付け手段が縦方向板の上面と同じ高さであるか、或いはほぼ同じ高さであり、それらが第二部材縦方向板へ凹まされる。更に、骨ねじ或いは他の骨取付け手段が骨ねじ孔と患者の骨に固定する。
【００３３】
上述のように、第二部材は例えば図５の５８として示されたほぼ凹状アーチ部分である第二部材底面彎曲部分から成る。これは、上面が凸状外観を有し、第二部材が端から観察されるときに彎曲外観を有することを意味する。第二部材は、図１−７に示されたこの発明の実施例では、骨ねじ或いは他の骨取付け手段が第二部材前方骨ねじ孔９２と第二部材末方骨ねじ孔９３へ挿入されるときに、曲率を有するから、骨内の骨ねじ或いは他の骨取付け手段の端部が互いにとんがらせ、例えば先を並べていて、骨ねじ或いは他の骨取付け手段が骨の外に引き出さないことを大きく保証する。この配列は更に骨板のねじれを抑制し得る。
【００３４】
固定手段は第一部材と第二部材を開放可能に固定できる任意の装置であり、第一部材のフランジが窪み内にフランジスライドを有することにより第二部材の窪み内に移動し、骨板が治療的に適切な縦方向長さにあるときに固定されている。上記の任意の固定手段は図１−７並びに他の図面に示された骨板の実施例においてフランジと窪みと関連して使用され得る。この発明に有効である固定手段の例は、特に図８−９に示される。固定手段９４は天部分９５と底部分９６から成る。天部分９５が上面９７、特大要素外面９９を有する天部分本体９８と底面１００から成る。天部分がほぼ円筒状であって、底部分９６より大きい縦方向である寸法を有し、固定手段９４が大きな天止めねじの外観を有する。底部分９６は固定手段孔９１と適合するようにねじ筋を切られた、好ましくは図８−９に示される如く、軸１０１から成り、以下に詳細に記載されるように、第一部材と第二部材を互いに固定させて骨板を形成するときに固定手段を第二部材に開放可能に固定する。軸１０１が天部分９５に取付けられた或いは一体の端部を有し、天部分本体９８の底面１００から、特に底面１００のほぼ中心で、軸の下端１０２まで延びている。固定手段がさらに窪んだ部分９８ａを有して固定手段を締付ける工具を収容する。例えば窪んだ部分９８は、示されるように六角として構成され得るか、或いはスロットとされるか、或いは十字形である。
【００３５】
第一と第二部材は、骨板或いは骨板の成分に組立られ、骨板が第一部材と第二部材を配列することによって二つセット以上の第一部材と第二部材から成り、フランジが窪み内に摺動できる。固定手段がフランジの開口を通して且つ固定手段を通して移動される。開口がほぼ卵形或いは矩形であるから、固定手段が第二部材の固定手段孔に適用された後に縦方向において窪み内で摺動でき、固定手段がフランジ上面に締め付けられない。それで、固定手段が開口と固定手段孔を通して移動され得て、適切な位置に維持され、フランジが窪み内に摺動でき、それにより外科医が第一部材及び第二部材又はそのいずれか一方を移動させることにより縦方向長さを選定でき、なぜならばフランジの開口が固定手段の底部分より大きい寸法を有するからである。固定手段の天部分がフランジの開口より大きい寸法を有し、固定手段の天部分の底面がフランジ上面と少なくとも部分的に接触している。固定手段が止めねじのように機能して、一度、骨板の縦方向寸法が得られると、固定手段がさらに固定手段孔内に固定手段を移動させることにより締め付けられ得るので、フランジが圧力を窪みに加えて、固定手段の底面がフランジの天面に圧力を加え、フランジが窪み内でそれ以上の摺動することを抑制するか、或いは防止して、それにより骨板の縦方向長さを固定し且つ骨を適当な場所に設置する。
【００３６】
図面に示されるように、フランジ８が第一部材の第二端に配向されているので、フランジが窪み５９と交差し、第一部材と第二部材の上面と第一部材と第二部材の下面が整合されて骨板の天と底が連続的或いはおよそ連続的であることを提供する。即ち骨板の天面と骨板の底面がおよそ同じ縦方向平面にある。更に、この発明の実施例では、窪み、フランジと固定手段は、固定手段の天部分の上面が組立骨板の第一部材と第二部材の上面上に或いは実質的に上に延びておらず、組立骨板の天面にスムーズな面を提供する。
【００３７】
この発明の他の実施例は図１０−１９に示され、骨板組立体５００が第一架橋手段５０３と第二架橋手段５０４により結合された二セットの第一部材５０１と第二部材５０２から成る。この発明の実施例では、骨板組立体５００が対向セットの第一部材と第二部材及び第一架橋手段と第二架橋手段により形成された観察窓５０５から成る。この発明の実施例における骨板組立体が縦方向寸法、即ち縦方向長さに取付け手段及び固定手段又はそのいずれか一方によって且つ横方向寸法に架橋手段により調整され得る。
【００３８】
特に図１９を参照すると、この発明の実施例では、骨板組立体５００の各第一部材５０１が第一部材第一端５０６、第一部材第二端５０７、第一部材前方側面５０８と第一部材末方側面５０９から成る。図面、例えば図１１と１２に示されるように、各第一部材５０１がさらに第一部材上面５１０と第一部材下面５１１から成る。各第一部材の第一部材下面５１１が、上述のように、骨構造の曲率に対して第一部材と調整可能な骨板の具合よい取付けを容易とするほぼ凹状アーチ部分である第一部材下面彎曲部分５１１ａ（例えば図１４に示される）から成る。
【００３９】
第一部材５０１がさらに第一部材第一端５０６と第一部材第二端５０７の間の点における第一部材前方側面５０８から延びている第一部材突起５１２から成る。図１６と１９に示されるように、例えば、第一部材突起５１２が第一部材上面５１０とほぼ接続して延長部である天面５１３と第一部材下面５１１とほぼ接続して延長部である底面５１４とから成る。第一部材突起５１２が第一部材突起端壁５１４から成る。第一部材突起５１２が第一部材突起端壁５１４に第一部材架橋ロッド孔開口５１５ａを有する第一部材架橋ロッド孔５１５から成る。第一部材架橋ロッド孔５１５は第一部材架橋ロッド孔開口５１５ａから第一部材の第一部材前方側面５０８と第一部材末方側面５０９の間の点まで延びる第一部材架橋ロッド孔壁５１５ｂにより形成されている。第一部材突起はさらに第一部材前方壁から第一部材突起端壁まで延びる第一側壁５２２と第二側壁５２３から成る。
【００４０】
各第一部材の第一端は各第一部材の中心線２４を中心に第一部材前方側面５０８と第一部材末方側面５０９から等距離に上アーク点５１６を有する横方向曲率から成る。第一部材第一端はおよそ上アーク点５１６における固定スロット５１７から成る。さらに第一部材第一端は第一端上縦方向彎曲面５１８と第一端下縦方向彎曲面５１９とから成る。固定スロットは板組立体を備えた閉鎖手段により係合され、第一部材と第二部材を一緒に移動させ、即ち縦方向寸法を調整するのを助ける。
【００４１】
各第一部材の第一部材前方側面５０８が前面上縦方向彎曲面５２０と前面下縦方向彎曲面５２１から成る。さらに、各第一部材の第一部材末方側面５０９が末面上縦方向彎曲面５１３と末面下縦方向彎曲面５１４から成る。同様に第一部材突起の第一側壁が任意に上縦方向彎曲面５２４と下縦方向彎曲面５２５を有し、第一部材突起の第二側壁が任意に上縦方向彎曲面５２６と下縦方向彎曲面５２７を有する。前面上縦方向彎曲面、前面下縦方向彎曲面、末面上縦方向彎曲面と末面下縦方向彎曲面は、第一端上縦方向彎曲面と第一端下縦方向彎曲面と一緒に、各第一部材に中断されない縦方向曲線を備えて、そして第二部材における同様な特徴と一緒に、骨板組立体に中断されない縦方向曲線を備える。第一部材突起上縦方向彎曲面５２４と下縦方向彎曲面５２５の第一側壁と第一部材突起上縦方向彎曲面５２６と下縦方向彎曲面５２７の第二側壁とは、この発明の実施例における第一部材と骨板組立体のこの特徴に加えられる。                                          
【００４２】
この発明の実施例における第一部材第二端５０７はその第二端から突き出すフランジ８を有する。この発明の実施例における第一部材第二端５０７とフランジ８は上述のものと同じ構造、要素と機能を有する。図１０−１９には、第一部材５０１のこれら要素が図１−９に述べられるように、同じ要素番号を備えて、この発明の実施例における第一部材５０１のこれら特徴に適用できる前記これらの特徴の記載を参照される。
【００４３】
第一部材はさらに第一部材突起５１２に近接している保持ピン孔５２８から成る。保持ピン孔５２８は保持ピン孔壁によって形成されていて、第一部材天面及び第一部材突起又はそのいずれか一方における上開口と第一部材底面及び第一部材突起又はそのいずれか一方における下開口とを有する。保持ピン孔は上開口から下開口まで延びていて、好ましくは架橋手段孔を二分する。この保持ピン孔が一方又は両方の端ににおいてねじ筋切られている。
【００４４】
第一部材はまた一個以上の骨ねじ孔から成り、それら孔が骨ねじ孔壁により形成され、第一部材の上面における開口から第一部材の下面における開口まで延びている。この発明の実施例における第一部材の骨ねじ孔はこの発明の他の実施例に関して上述されたものと同じ構造、要素と機能を有する。図１１−１９に示されるように、骨板組立体５００の各第一部材５０１が第一端に近接する第一骨ねじ孔５２９と第二端に近接する第二骨ねじ孔５３０とを有する。
【００４５】
特に図１７と１８に示されるように、この発明の実施例における第二部材５０２は第二部材第一端５３１、第二部材第二端５３２、第二部材前方側面５３３と第二部材末方側面５３４から成る。図面、特に図１１と１２に示されるように、各第二部材５０２はまた第二部材上面５３５と第二部材下面５３６から成る。第二部材下面５３６は骨構造の曲率に対して第二部材と調整可能な骨板の具合よい取付けを容易とする、上述のように、ほぼ凹状アーチ部分である第二部材下面彎曲部分５３６ａ（例えば図１４に示される）から成る。
【００４６】
第二部材５０２はさらに第二部材第一端５３１と第二部材第二端５３２の間の点における第二部材前方側面５３３から延びる第二部材突起５３７から成る。図１６−１８に示されるように、例えば、第二部材突起５３７は第二部材上面５３５とほぼ連続して延長部である天面５３８と、第二部材下面５３６とほぼ連続して延長部である底面５３９とから成る。この第二部材突起５３７は第二部材突起端壁５４０から成る。この第二部材突起５３７は第二部材突起端壁５４０における第二部材架橋ロッド孔開口５４１ａを有する第二部材架橋ロッド孔５４１から成る。第二部材架橋ロッド孔５４１は第二部材架橋ロッド孔開口５４１ａから第二部材前方側面５３３と第二部材末方側面５３４の間の点まで延びている第二部材架橋ロッド孔壁５４１ｂによって形成されている。この第二部材突起はさらに第二部材前方側面から第二部材突起端壁まで延びる第一側壁５４２と第二側壁５４３から成る。
【００４７】
第二部材第一端５３１はこの発明の実施例における上述のように、第一部材の第一端と同じ特徴と機能を有する。それで、第二部材第一端は各第二部材のほぼおよそ中心線に第二部材前方側面５３３と第二部材末方側面５３４とからおよそ等間隔に上アーク点５４４を有する横方向曲率から成る。この第二部材第一端はおよそ上アーク点５４４における固定スロット５４５から成る。更に、この第二部材第一端は第一端上縦方向彎曲面５４６と第一端下縦方向彎曲面５４７とから成る。上述のように、閉鎖手段により係合され得る固定スロットが板組立体を備えて、第一部材と第二部材を一緒に移動させる、即ち縦方向寸法を調整させるのを助ける。
【００４８】
第二部材前方側面５３３と第二部材末方側面５３４は骨板組立体５００の第一部材前方側面５０８と第一部材末方側面５０９と同じ縦方向曲線を有する。それで、第二部材前方側面５３３は前方側面上縦方向彎曲面５４８と前方側面下縦方向彎曲面５４９とから成る。また、第二部材末方側面５３４は末方側面上縦方向彎曲面５５０と末方側面下縦方向彎曲面５５１とから成る。同様に、第二部材突起の第一側壁は任意に上縦方向彎曲面５５２と下縦方向彎曲面５５３と（例えば図１２に示される）を有し、第二部材突起の第二側壁はは任意に上縦方向彎曲面５５４と下縦方向彎曲面５５５とを有する。前方側面上縦方向彎曲面、前方側面下縦方向彎曲面、末方側面上縦方向彎曲面と末方側面下縦方向彎曲面は、第一端上縦方向彎曲面と第一端下縦方向彎曲面と一緒に、各部材に中断されない縦方向曲線を備えて、第一部材の同様な特徴と一緒に、骨板組立体に中断されない縦方向曲線を備える。第二部材突起上縦方向彎曲面と下縦方向彎曲面の第一側壁並びに第二部材突起上縦方向彎曲面と下縦方向彎曲面の第二側壁はこの発明の実施例において第二部材と骨板組立体のこの特徴に加えられる。
【００４９】
この実施例における第二部材第二端５３２が前述のこの発明の他の実施例における第二部材第二端と同じ構造、要素と機能を有する。その上、第二部材は第二部材第二端５３２に接近する窪みを有する。この発明の実施例の窪みはこの発明の他の実施例に関して上述したものと同じ構造、要素と機能を有する。更に、第二部材はこの発明の他の実施例に関して上述したものと同じ構造、要素と機能を有する窪み内に固定手段孔９１から成る。図１０−１９には、第二部材５０２のこれら要素は図１−９に記述したものと同じ要素番号を備えていて、この発明の実施例において第二部材５０２のこれら要素に適用できるこれら要素の上記これら特徴の記載を参照される。
【００５０】
第二部材はさらに第二部材突起５３７に接近している架橋手段固定孔５５６から成る。架橋手段固定孔５５６は架橋手段固定孔壁により形成されていて、その固定孔がねじ筋を付けられ得て、第二部材上面における上開口及び第二部材突起の天面又はそのいずれか一方と第二部材架橋ロッド孔５４１の天部への下開口とを有する。架橋手段固定孔５５６は上開口から下開口まで延びていて、好ましくは架橋手段固定孔を二分する。
【００５１】
第二部材はまた一つ以上の骨ねじ孔から成り、骨ねじ孔壁により形成されていて、第二部材上面の開口から第二部材下面まで延びている。この発明の実施例における第二部材の骨ねじ孔はこの発明の他の実施例に関して上述したものと同じ構造、要素と機能を有する。図１１−１９に示されるように、骨板組立体５００の各第二部材５０２は第二部材第一端に接近する第一骨ねじ孔５５７と窪み８９に接近する第二骨ねじ孔５５８とを有する。
【００５２】
図１１−１９に示されたこの発明の実施例では、骨板組立体５００は架橋手段を使用して一セットの取付けた第一部材と第二部材を他のセットの取付けた第一部材と第二部材と連結させることにより組立られる。この発明の実施例では、架橋手段が架橋ロッド５５９から成る。架橋ロッド５５９は特に図２０と２１に示される。架橋ロッド５５９は一端に先細部分を備えるほぼ円筒状形状を有する。図面に示されるように、架橋ロッド５５９は円形端５６０と先細端５６１から成る。架橋ロッドは円筒状部分５６２に円筒状形状を備える連続彎曲外部分を有し、円形端５６０から円形端５６０と先細端５６１の間にある円筒状部分端子点５６３まで延びている円筒状部分５６２から成る。架橋ロッド５５９の先細部分５６４は円筒状部分端子点５６３から先細端５５９まで延びている。先細部分５６４は傾斜ピース５６６とレベルピース５６７とを有する天側面５６５から成り、傾斜ピース５６６が円筒状部分端子点５６３からレベルピース５６７の第一端まで延びていて、レベルピースが第一端から延びていて、その第一端が傾斜ピース５６６を架橋ロッド５５９の先細端５６１に結合させる。先細部分はさらに、図面に示されるように、円筒状部分５６２の円筒状曲率の継続し得る底側面５６８から成る。架橋ロッドはさらに円筒状端５６０に接近する保持ピン孔５６９から成る。この保持ピン孔は保持ピン孔壁により形成されていて、架橋ロッドが固体中実であるこの発明の実施例では、この架橋ロッドが架橋ロッドの外壁の一点から他の点まで延びていて、架橋ロッドが中空であるこの発明の実施例では、保持ピンが架橋ロッドの両穴から延びることに対応する二つの穴である。保持ピンと保持ピン穴とはねじ筋を切られ、保持ピンの外面が一つ以上のねじ筋を切った部分を有するか、或いは天面から底面まで連続的にねじ筋を切られ、保持ピン穴壁が連続的にねじ筋を切られ、或いはねじ筋付き部分から成る。
【００５３】
保持ピン５７７が骨板組立体５００と関連して使用され得る。図１６に示されるように、例えば保持ピン５７７が一般に第一端５７８、第二端５７９と、第一端５７８と第二端５７９の間の連続彎曲面である外面５８０とから成り、保持ピン５７７は形状が円筒状である。保持ピン５７７はねじ筋を切られているか、或いはねじ筋部分から成り、外面が一つ以上のねじ筋部分から成る。
【００５４】
架橋手段は一般に例えば図１０に示されるように、セットの第一部材と第二部材を結合するように使用される。図１０と１６に示されるように、例えば架橋手段は、図に示されるように、上端５７１と下端５７２とそれらの間の連続外壁５７３を有する止めねじ５７０である架橋固定手段と関連して使用された架橋ロッド５５９から成る。連続外壁５７３は、ねじ筋を切られていないけれども、好ましくはねじ筋を切られている。上端５７１は架橋固定手段を締め付ける工具を収容するように止めねじ窪んだ部分５７４から成る。架橋手段は更に保持ピン５７７、第一部材の保持ピン孔５２８と、円筒状端５６０に接近する架橋ロッド５５９を第一部材５０１に付着させるように架橋ロッド５５９の保持ピン孔５６９に関連して使用される。
【００５５】
図１０−１９に示されたような骨板組立体は一般に、この発明の他の実施例に関して上述されたのと同様な形式に、第一部材のフランジを第二部材の窪みと整合させ、次に固定手段がフランジの開口を通して且つ各セットの第一部材と第二部材の固定手段孔を通して移動されるように固定手段を適用させることにより二セットの第一部材と第二部材を最初に結合させることにより組立られる。上述と同じ固定手段が使用され得る。一度セットの第一部材と第二部材が形状されると、架橋手段が第一部材と第二部材の架橋手段孔を通して架橋ロッドを移動させることにより適用される。架橋ロッドは、第一部材の保持ピン孔を通して保持ピンを移動させ且つ架橋固定手段孔を通して止めねじを移動させて止めねじが架橋ロッド、特に架橋ロッドのレベルピースと交差するように、保持ピンと架橋固定手段の使用によって第一部材と第二部材セットを結合させることで、第一部材と第二部材に取付けられるか、或いは開放可能に固定される。
【００５６】
架橋ロッドが第一部材と第二部材の架橋ロッド孔内に摺動でき、フランジが第二部材の窪み内に摺動できるので、架橋手段から成るこの発明の実施例の組立骨板は縦方向と横方向の両調整性を有する。縦方向寸法は窪み内にフランジを摺動させることにより調整されて、所望の縦方向寸法が得られると、固定手段が締め付けられてそれ以上の運動を防止する。さらに、適当な横方向寸法が得られると、止めねじのような架橋固定手段が適用され且つ締め付けられる、又は適用されるか、或いは締め付けられて、架橋手段孔内で架橋ロッドのそれ以上の運動を防止する。この発明の好ましい実施例では、架橋ロッドの一端が第一部材と架橋ロッドの保持ピン孔へ保持ピンを移動させることにより第一部材に保持され、そして架橋ロッドの先細端５６１は反対の第二部材の架橋手段孔内で移動することが自由である。止めねじの下面５７２がレベルピース５６７の天面に圧力を加えてフランジロッドを固定させてそれ以上の運動を防止させ、それにより骨板組立体の横方向寸法を設定させる。図１０に示されるように、組立られると、例えば第一セットの第一部材／第二部材の第二部材は第二セットの第一部材／第二部材の第一部材に対向して架橋手段により連結されて、第一セットの第一部材／第二部材の第一部材は第二セットの第一部材／第二部材の第二部材に対向して架橋手段により連結されている。二セット以上の第一部材／第二部材は架橋手段を使用して互いに横方向に固定され得る。
【００５７】
図１１−１９に示された骨板組立体は、第一セットの第一部材／第二部材５７５と第二セットの第一部材／第二部材５７６とから成る。第一セット５７５と第二セット５７６の第一部材／第二部材は、第一セット５７５の第二部材５０２を第二セット５７６の第一部材５０１に連結する第一架橋手段５０３により且つ第一セット５７５の第一部材５０１を第二セット５７６の第二部材５０２に連結させる第二架橋手段５０４により連結されている。種々の部材とセットが連結されて上述のように縦方向と横方向の両方に調整できる。
【００５８】
架橋ロッドが曲線を有し、一セット以上の第一部材と第二部材を連結すると、組立骨板は底が凹状外観を有し、天部が凸状外観を有する曲線を有する。これは、一般に図１４に示された発明の実施例の端面図に関して見られた。図１４に示されるように、第一セットの第一部材と第二部材及び第二セットの第一部材と第二部材の各々が第一部材下面彎曲部分５１１ａと第二部材下面彎曲部分５３６ａとの曲率に関して示されるように、底に凹状外壁を有する。そのように、全骨板はこの発明の実施例において組立骨板の底を横切って球状底曲率５９９を有する底を有する。それで、第一セットの第一部材と第二部材及び第二セットの第一部材と第二部材の骨ねじ孔を通して骨ねじ或いは他の骨取付け手段を移動させて、骨ねじ或いは他の骨取付け手段を孔に固定さでることにより、骨板が患者に適用されると、第一セットに適用された骨ねじ或いは他の骨取付け手段及び第二セットに適用された骨ねじ或いは他の骨取付け手段は互いに向けられ、例えばつま先に向けられ、骨ねじ或いは他の骨取付け手段が骨から引き出されなく、骨板のねじれを抑制し得ることを大きく保証する。更に、球状底曲率５９９は患者の骨に骨板の取付けを容易とする。
【００５９】
この発明は、患者の骨折した骨に設置する方法から成る。この方法は、この明細書に記載されるように、第一部材、第二部材と固定手段を備える工程から成る。この発明の実施例では、第二部材前方骨ねじ孔９２と第二部材末方骨ねじ孔９３を通して骨ねじ或いは他の骨取付け手段を移動させることにより、第二部材が骨折の片側で患者の骨に固定される。第一部材前方骨ねじ孔４８と第一部材末方骨ねじ孔４９とを通して骨ねじ或いは他の骨取付け手段を移動させることにより、第一部材は第二部材が取付けられる骨折側面と反対の骨折側面で患者の骨に固定される。窪み５９内のフランジは、フランジ８の開口が少なくとも固定手段孔と整合されて、固定手段がフランジ８の開口と固定手段孔５９の両方内に移動できるようになっている。この方法では、固定手段がフランジ８の開口４６と固定手段孔５９を通して移動され、骨折した骨の部片は第一部材及び第二部材又はそのいずれか一方の位置を調整して骨取の縦方向長さ或いは寸法を設定することにより治療のために互いに接近して移動される。第一部材と第二部材が骨折した骨に適用されて、骨折した骨の部片が一緒に移動され得て、固定手段はフランジ８の開口４６と固定手段孔５９を通して移動され、フランジが窪み内で摺動するのを防止して、骨を適当な場所に設定するために骨取の縦方向長さ或いは寸法を固定するように締め付けられる。しかしながら、選択的に、外科医が固定手段を締め付けることなしにフランジの開口４６と固定手段孔９１を通して固定手段を移動させるので、フランジ８が窪み５９内を摺動して第一部材及び第二部材又はそのいずれか一方を移動させ、フランジが窪み内を摺動して骨折した骨の部片を一緒にさせて、固定手段を締め付けて窪み内でフランジのそれ以上の摺動を抑制させるか、或いは防止させて、それにより骨を適当な場所に設定するために骨取の縦方向長さ或いは寸法を固定させる。
【００６０】
他の実施例では、第一部材と第二部材は患者の骨折した骨に骨板を適用させるのに先立って骨板に組立られ得る。この実施例では、この方法は固定手段を締め付けることなしに開口４６と固定手段孔９１を通して固定手段を移動させて、骨板又は第一部材或いは第二部材の一方を患者に適用させるのに先立ってフランジ８が窪み５９内を摺動することを排除することを包含する。次に、第一部材を骨折の片側に置き且つ第二部材を骨折の反対側に置いて患者に骨板を固定させることにより、組立骨板が患者の骨折した骨に適用され、このとき、第一部材前方骨ねじ孔４８と第一部材末方骨ねじ孔４９とを通して骨ねじ或いは他の骨取付け手段を移動させ且つ第二部材前方骨ねじ孔９２と第二部材末方骨ねじ孔９３を通して骨ねじ或いは他の骨取付け手段を移動させて、骨ねじが種々の骨ねじ孔を通して任意の程度に適用されることにより、患者に骨板を固定させる。骨折した骨の部片が一緒に移動され得て、次に外科医が固定手段を締め付けて窪み内のフランジのそれ以上の摺動を防止し、それにより骨板の縦方向長さを固定させて骨を適当な場所に設定させる。この発明の更に他の実施例では、外科医が第一部材と第二部材を開放可能に固定させ、患者の骨折した骨に骨板を適用させるのに先立って骨板の縦方向長さを固定するように固定手段を適当なさせる。
【００６１】
適当に整合された骨の二端による移植手順は以下のように記載される：
１、フランジが窪み内で移動できるよう緩く締め付けられた固定手段と第一部材と第二部材を緩く組立て、
２、第一部材或いは第二部材のいずれかの骨ねじ孔を通して骨ねじを孔へ移動させ、
３、十分に延長された組立てにより、第一部材或いは第二部材のいずれかの骨ねじ孔（ステップ２において骨ねじが適用される部材と反対の）を通して骨ねじを孔へ移動させ、  ４、第一部材及び第二部材又はそのいずれか一方の任意の残留骨ねじを孔へ移植させ、  ５、第一部材と第二部材を圧縮させ（即ち互いにの方へ部材を移動させ）て骨を適当な場所に設定させて固定手段を締め付けて第一部材と第二部材のそれ以上の運動を防止させる。
【００６２】
この方法は、さらに一つ以上の架橋手段を備えて、一つ以上の第一部材と第二部材セットを患者の骨折した骨に適用させて、骨板組立体が縦方向と横方向の両方の調整性を有することから成る。一般に図１０−１９に示された骨板に適用することに関するこの実施例では、第一部材５０１が骨折した骨に適用され、第二部材５０２が骨折した骨に適用され、第一部材と第二部材の一つ以上の骨ねじ孔を通して移動された骨ねじ或いは他の骨取付け手段を使用して、第二部材５０２の窪み５９内に第一部材５０１フランジ８を備えて、任意に固定手段が適用され且つ緩く締め付けられて第一部材及び第二部材又はそのいずれか一方を移動でき、それで、図１−８に示された実施例に関して上述したもののように骨に適用された第一部材と第二部材を形成させる。次に、第一架橋手段が第二部材架橋ロッド孔５４１のような架橋手段孔に移動され、第二架橋手段が保持ピンにより保持され得る第一部材架橋ロッド孔５１５のような架橋手段孔に移動される。第一部材と第二部材の第二セットは骨の骨折の反対に骨折側面上に適用され得る。これは保持ピンにより保持され得る第一部材と第二部材の第二セットの第一部材の第一架橋ロッド孔５１８のような架橋手段孔により第一架橋手段を移動させ且つ第一部材と第二部材の第二セットの第二部材の第二架橋ロッド孔５４１を移動させることにより達成され、第一部材のフランジが第一部材と第二部材の第一セットに関して上述したように、第二部材の第二セットの第二部材の窪み内にある。第一部材と第二部材の第二セットの第一部材と第二部材は第一部材と第二部材の第二セットの第一部材と第二部材の骨ねじ孔の幾つか或いはすべてを通して骨ねじ或いは他の骨取付け手段を移動させることにより骨に固定され得る。次に、外科医が互いに関して縦方向に第一部材と第二部材の第一セットの第一部材と第二部材を移動させ、第一部材と第二部材の第二セットの第一部材と第二部材が互いに関して縦方向であり、第一部材と第二部材の第一セットと第一部材と第二部材の第二セットが互いに関して横方向であって骨の骨折した部片を一緒に移動させる。次に骨は、例えば大きなトップねじを使用して上述のように、固定手段を適用させて第一部材と第二部材の第一セットと第一部材と第二部材の第二セットの両方の縦方向寸法を固定させ、且つ架橋固定手段を適用させて第一部材と第二部材の各セットの各第二部材の架橋固定手段孔５５６内に止めねじを移動させるように、調整可能な骨板の横方向寸法を設定させる。外科医が観察窓で骨の部片を観察し得る。この方法の好ましい実施例では、架橋手段は架橋ロッドと止めねじから成る。また、外科医が患者の骨折した骨に骨板を適用するのに先立って骨板の縦方向及び横方向又はそのいずれか一方の寸法を固定し得る。
【００６３】
骨板とその成分は、米国食品薬品官庁ウエブサイトに記載されるような任意の適切なＡＳＴＭ或いはＩＳＯ基準材料を包含するステンレススチール、合金、コバルト合金或いはチタン合金のような十分な構造強度と耐久性を有することを知られた任意の適切な生適合性材料から構成され得る。幾つかの例は非合金チタン、アルミュニウム、ニオブ及びバナジュウム又はいずれか一方と合金したチタン、ステンレススチールと、モリブデン、クロム、コバルト、タングステン、ニッケル、マグネシユウムと種々の組合せで合金した他の鉄、種々の他のステンレススチール或いは酸化アルミュニウム、酸化ジルコニウム、タンタルと燐酸カルシュウムを備える他の鉄合金を包含する。任意の有効な重合材料は骨成長を装うように通常の骨のマイクロ移動( micromotion ) を擬態するのに十分な柔軟性を備えるＰＥＥＫ（ポリエチルエチルケトン）ように使用され得る。ＰＥＥＫは他の材料或いは重合体と結合され得る。更に、セラミック充填生適合性重合体、或いは治療中に骨を安定化させるか、又は骨の骨折を修正させるのに十分な強度の他の生適合性材料は骨板又は骨板の任意の成分或いは部材を形成するために使用され得る。使用され得る他の材料は生吸収性材料とコラーゲンを包含する。一つ以上の材料は骨板又は骨板の任意の成分を建造し、製造し、組立てる際に使用され得る。例えばこの明細書で述べられた材料の組合せが使用され得る。
【００６４】
骨板又は骨板の任意の成分或いは部材はさらに移植可能なモジュール式薬物排出装置のような生吸収性薬物排出装置から成る。生吸収性薬物排出装置の例は、参考として全体でこの明細書に組み込まれている「時限解放治療剤を含有する移植可能な補綴装置」の名称で２００５年５月２３日に米国特許庁に出願された米国特許出願第１１／１３５２５６号に記載されている。そのような装置は、例えば薬物排出孔のような専用孔内、或いは骨ねじ孔或いは固定手段孔内に置かれ得る。したがって、骨板は必要であるならば、薬物を排出するように使用され得る。
【００６５】
生吸収性材料から形成された生吸収性外科用ファスナー或いは骨ねじは、患者の骨に、骨板を適用させる、即ち第一部材及び第二部材又はそのいずれか一方を適用させるために使用され得る。例えば参考として全体でこの明細書に組み込まれている「生吸収性成分を含有する外科用ファスナーと関連移植装置」の名称で２００４年１２月２９日に米国特許庁に出願された米国特許出願第１１／０２５２３１号に記載されている材料は骨ねじとして使用され得て、この骨ねじはこの米国特許出願に記載された外科用ファスナーである。
【図面の簡単な説明】
【００６６】
【図１】この発明の実施例による調整可能な骨板の斜視図である。
【図２】この発明の実施例による調整可能な骨板の第一部材と第二部材の天面図である。
【図３】この発明の実施例による調整可能な骨板の第一部材と第二部材の底面図である。
【図４】この発明の実施例による調整可能な骨板の第一部材の端面図である。
【図５】この発明の実施例による調整可能な骨板の第二部材の端面図である。
【図６】この発明の実施例による調整可能な骨板の端面図である。
【図７】この発明の実施例による調整可能な骨板の側面図である。
【図８】この発明の実施例による固定手段の正面図である。
【図９】この発明の実施例による固定手段の天面図である。
【図１０】この発明の実施例による調整可能な骨板の斜視図である。
【図１１】この発明の実施例による調整可能な骨板の天面図である。
【図１２】この発明の実施例による調整可能な骨板の底面図である。
【図１３】この発明の実施例による調整可能な骨板の側面図である。
【図１４】この発明の実施例による調整可能な骨板の端面図である。
【図１５】この発明の実施例による調整可能な骨板の側面図である。
【図１６】この発明の実施例による調整可能な骨板の分解斜視図である。
【図１７】この発明の実施例による調整可能な骨板の第一部材の斜視図である。
【図１８】この発明の実施例による調整可能な骨板の第一部材の天面図である。
【図１９】この発明の実施例による調整可能な骨板の第二部材の天面図である。
【図２０】この発明の実施例による架橋手段の斜視端面図である。
【図２１】この発明の実施例による架橋手段の斜視側面図である。
【符号の説明】
【００６７】
１．．．．．骨板組立体
２．．．．．第一部材
３．．．．．第二部材
４．．．．．固定手段
５．．．．．第一部材第二端
６．．．．．第一部材前方側面
７．．．．．第一部材末方側面
８．．．．．フランジ
９．．．．．第一部材前方円形要素
１０．．．．第一部材末方円形要素
１１．．．．第一部材中心部材
１２．．．．第一部材上面
１３．．．．第一部材下面
１４．．．．連続側面
１５．．．．第一部材第一前方端子点
１６．．．．第一部材第二前方端子点
１７．．．．連続側面
１８．．．．第一部材第一末方端子点
１９．．．．第一部材第二末方端子点
２０．．．．第一部材中心部分側面
２２．．．．第一部材第一前方縁部分
２４．．．．中心線
２５．．．．第一部材第二前方縁部分
２７．．．．第一部材第三前方縁部分
２８．．．．第一部材第一末方縁
２９．．．．第一部材第一末方縁部分
３０．．．．第一部材第三端子点
３１．．．．第一部材第二末方縁部分
３２．．．．第一部材第四末方端子点
３３．．．．第一部材第三末方縁部分
３４．．．．上縦方向湾曲部分
３５．．．．下縦方向湾曲部分
３６．．．．上縦方向湾曲部分
３７．．．．下縦方向湾曲部分
３８．．．．第二端面
３９．．．．フランジ前方側面
４０．．．．フランジ末方側面
４１．．．．フランジ端
４２．．．．上縦方向湾曲部分
４３．．．．下縦方向湾曲部分
４４．．．．フランジ上面
４５．．．．フランジ下面
４６．．．．開口
４７．．．．開口内壁
４８．．．．第一部材前方骨ねじ孔
４９．．．．第一部材末方骨ねじ孔
５０．．．．第二部材第一端
５１．．．．第二部材第二端
５２．．．．第二部材前方側面
５３．．．．第二部材末方側面
５４．．．．第二部材前方円形要素
５５．．．．第二部材末方円形要素
５６．．．．第二部材中心部分
５７．．．．第二部材上面
５８．．．．第二部材下面
６０．．．．第二部材前方連続側面
６１．．．．第二部材第一前方端子点
６２．．．．第二部材第二前方端子点
６３．．．．第二部材末方連続側面
６４．．．．第二部材第一末方端子点
６５．．．．第二部材第二末方端子点
６６．．．．第二部材中心部分側面
６７．．．．固定スロット
６８．．．．第二部材第一前方縁部分
６９．．．．第二部材第三前方縁部分
７０．．．．第二部材第二前方縁部分
７１．．．．第二部材第四前方端子点
７２．．．．第二部材第三前方縁部分
７３．．．．第二部材末方側面縁
７４．．．．第二部材第一末方縁部分
７５．．．．第二部材第三末方端子点
７６．．．．第二部材第二末方縁部分
７７．．．．第二部材第四末方端子点
７８．．．．第二部材第三末方縁部分
９４．．．．固定手段          
５００．．．骨板組立体
【図１】
2009523538.tif 000002
【図２】
2009523538.tif 000003
【図３】
2009523538.tif 000004
【図４】
2009523538.tif 000005
【図５】
2009523538.tif 000006
【図６】
2009523538.tif 000007
【図７】
2009523538.tif 000008
【図８】
2009523538.tif 000009
【図９】
2009523538.tif 000010
【図１０】
2009523538.tif 000011
【図１１】
2009523538.tif 000012
【図１２】
2009523538.tif 000013
【図１３】
2009523538.tif 000014
【図１４】
2009523538.tif 000015
【図１５】
2009523538.tif 000016
【図１６】
2009523538.tif 000017
【図１７】
2009523538.tif 000018
【図１８】
2009523538.tif 000019
【図１９】
2009523538.tif 000020
【図２０】
2009523538.tif 000021
【図２１】
2009523538.tif 000022
【国際調査報告】
2009523538.tif 000023